(57)【特許請求の範囲】
【請求項１】
就寝する際に掛け布団の上部寄りから露出する人の頭部から首回りにかけての部分を覆い保温するための可撓性布状材料からなる保温用寝具であって、
敷き布団又は枕の下側に挿入されて同敷き布団に横臥する使用者の頭部側の重量によって押さえられる挿入片と、同挿入片の前端に一体的に接続され同挿入片よりも幅広でかつ左右対称に構成された包囲片とから構成され、同包囲片の中央寄り部分は前記挿入片側に屈曲されることで使用者の前頭部から頭頂部及び左右側頭部にかけて覆う頭部被覆部とされ、同頭部被覆部の左右部分は使用者の首の周囲を包囲するための前記挿入片よりも左右方向に張り出した張り出し部とされ、同張り出し部の前端寄り部分は首の前側を包囲し、前記張り出し部の後端寄り部分は首の横方を包囲することを特徴とする保温用寝具。
【請求項２】
前記包囲部の使用者の頭部の前頭部を覆った状態で表面に露出する側に前記包囲片の左右方向中央位置を示す突起物が装着されていることを特徴とする請求項１に記載の保温用寝具。
【発明の詳細な説明】
【技術分野】
【０００１】
本発明は就寝する際に布団から露出する頭部及び首回りを保温するために補助的に使用される保温用寝具に関するものである。
【背景技術】
【０００２】
従来から就寝する際に布団から露出する頭部や首回りを顔の部分を除く全体を包むように保温するための保温用寝具として例えば特許文献１のようなものが提供されている。特許文献１は就寝時に顔が覗くような頭部専用の小さな頭部専用布団を頭部に被せるというものである。
【特許文献１】特開２０００−１７５７９６号公報
【発明の開示】
【発明が解決しようとする課題】
【０００３】
しかし、特許文献１のような頭部専用布団はその図２や図４に示すように単に顔が露出するように被せるだけなので、寝返りを繰り返しているうちにずれてしまうものであった。また寝返りを打つと布団の裾がまくれ上がり外気が侵入するおそれもあった。
そのため、頭部から首を保温するにあたって寝返りを繰り返しててもずれず、また、外気が侵入しにくい保温用寝具が求められていた。
本発明は、このような従来の技術に存在する問題点に着目してなされたものである。その目的とするところは寝返りを繰り返しててもずれず、また、外気が内部に侵入しにくい頭部及び首回りを保温するための保温用寝具を提供することにある。
【課題を解決するための手段】
【０００４】
上記の目的を達成するために請求項１に記載の発明では、就寝する際に掛け布団の上部寄りから露出する人の頭部から首回りにかけての部分を覆い保温するための可撓性布状材料からなる保温用寝具であって、敷き布団又は枕の下側に挿入されて同敷き布団に横臥する使用者の頭部側の重量によって押さえられる挿入片と、同挿入片の前端に一体的に接続され同挿入片よりも幅広でかつ左右対称に構成された包囲片とから構成され、同包囲片の中央寄り部分は前記挿入片側に屈曲されることで使用者の前頭部から頭頂部及び左右側頭部にかけて覆う頭部被覆部とされ、同頭部被覆部の左右部分は使用者の首の周囲を包囲するための前記挿入片よりも左右方向に張り出した張り出し部とされ、同張り出し部の前端寄り部分は首の前側を包囲し、前記張り出し部の後端寄り部分は首の横方を包囲することをその要旨とする。
また、請求項２に記載の発明では、請求項１に記載の発明の構成に加え、前記包囲部の使用者の頭部の前頭部を覆った状態で表面に露出する側に前記包囲片の左右方向中央位置を示す突起物が装着されていることをその要旨とする。
【０００５】
このような構成の保温用寝具では、まず敷き布団又は枕の下側に挿入片を差し込み、この挿入片を敷き布団に横臥する使用者の頭部側の重量によって押えることでずれを防止するようにする。そして、挿入片を差し込んだ状態で敷き布団の上側に延出される包囲片の先端側を持って使用者の頭部方向に折り曲げる。折り曲げることで包囲片の中央部分は敷き布団の上方側から横臥する使用者の頭部全体を覆うこととなる。包囲片の頭部被覆部によって使用者の前頭部から頭頂部及び左右側頭部にかけて覆うようにし、更に張り出し部の前端寄り部分によって首の前側を包囲し、張り出し部の後端寄り部分によって首の横方を包囲するようにする。
この際に包囲部の使用者の頭部の前頭部を覆った状態で表面に露出する側に前記包囲片の左右方向中央位置を示す突起物が装着されていることが好ましい。このような突起物は保温用寝具を使用した際に包囲部に覆われた使用者の前頭部から頭頂部の中央に露出して配置されることとなる。これによって使用者は保温用寝具の左右方向中央位置がどの当たりにあるのかが目をつぶったままでも手触りでわかることとなる。
【発明の効果】
【０００６】
上記各請求項の発明では、寝返りを繰り返しても容易にずれず、外気が内部に侵入しにくい頭部及び首回りを保温するための保温用寝具を提供することができる。
【発明を実施するための最良の形態】
【０００７】
以下、本発明の保温用寝具の一実施例について図面に基づいて説明する。
図１（ａ）〜（ｃ）に示すように本実施例の保温用寝具１は挿入片２と包囲片３から構成されている。挿入片２及び包囲片３は共に長方形形状のフリース毛布材であって挿入片２の長辺の全縁を包囲片３の長辺の中央位置に連結した縫製製品である。保温用寝具１は左右対称に構成されている。本実施例では挿入片２と包囲片３とを連結した状態で挿入片２方向を後側、これと反対側を前側とする。本実施例の挿入片２は左右巾４０ｃｍ、上下長さ３０ｃｍとされており、包囲片３は左右巾１００ｃｍ、上下長さ７０ｃｍとされている。包囲片３の前縁中央位置は若干湾曲に切り欠かれた湾曲部４が形成されている。図１（ｂ）及び（ｃ）に示すように、包囲片３を挿入片２側に折り曲げた際に包囲片３の前端寄り、つまり湾曲部４に隣接する位置であって左右方向中央位置には突起物としての取っ手５が取り付けられている。取っ手５は可撓性のある革のような材質から構成されているが包囲片３と同じ材質で構成するようにしてもよい。
【０００８】
図２に示すように、包囲片３における中央寄り部分は使用者の前頭部から頭頂部を覆う第１の頭部被覆部３ａと左右側頭部にかけて覆う第２の頭部被覆部３ｂとされている。第１及び第２の頭部被覆部３ａ，３ｂが頭部被覆部に相当する。第２の頭部被覆部３ｂの外方において包囲片３の前端寄り部分は首の前側を包囲する第１の張り出し部３ｃとされ、包囲片３の後端寄り部分は首の横方を包囲する第２の張り出し部３ｄとされる。尚、図２における各部（領域）３ａ〜３ｄの境界は明確に分かれているわけではなく、また隣接する領域同士は使用者の体型によって若干重複する部分を含むものとする。
【０００９】
次に、このような構成の保温用寝具１の使用方法について説明する。
図３に示すように、保温用寝具１の挿入片２を敷き布団７の上縁側からその下側に挿入し、挿入状態で使用者は枕８を頭にかって敷き布団７に横臥し、掛け布団９を肩口までかけるとする。ここでは包囲片３は敷き布団７の上方側に延出されて拡げられているが、必ずしも拡げる必要はない。
そして図４に示すように、使用者自身であるいは介助者の手によって包囲片３の先端を折り返し仰向けに寝ている使用者の前頭部付近に湾曲部４が置かれるようにする。包囲片３を折り返すことで取っ手５が表側のちょうどで使用者の前頭部の中央付近（ここでは眉間付近）に配置されることとなる。この状態で使用者の頭部（前頭部から頭頂部及び左右側頭部）が第１及び第２の頭部被覆部３ａ，３ｂによって覆われることとなる。しかし、この段階ではまだ首回りは露出したままである。次いで、図５に示すように第１及び第２の張り出し部３ｃ，３ｄを自身であるいは介助者の手によって首の回りに寄せることによって首周囲を覆うようにする。
【００１０】
上記のように構成することにより本実施例では次のような効果が奏される。
（１）顔を除く頭の全体と首回りを保温するための保温用寝具１として使用者が寝返りを打っても挿入片２が使用者の頭付近の重量で押さえられてずれてしまうことがない。
（２）頭部が顔を残して包囲片３によって完全に包まれてしまうため、頭の「冷え」を確実に防止することができ、なおかつ首回りも包囲されるので非常に暖かい。
（３）包囲片３を折り返すと第２の張り出し部３ｄによって首の横方が包囲されることとなりなおかつ十分な巾を有しているため寝返りを打っても敷き布団７との間に隙間が生じにくく外気が内部に侵入しにくくなっている。
（４）取っ手５がちょうど眉間の付近にあれば左右のバランスがとれていることがすぐに分かるため、寝相が悪くて保温用寝具１が乱れていないかどうかの確認が寝ている状態で目をつぶったままでも可能となる。
（５）保温用寝具１は全体としては一枚の布状を呈しているため、容易に畳んで収納でき、畳んでも嵩張ることがない。
【００１１】
尚、この発明は、次のように変更して具体化することも可能である。
・上記挿入片２と包囲片３の形状やサイズは一例であって、他の形状やサイズを採用することも可能である。
・保温用寝具１の材質はこの種の保温用寝具１として使用できるのであれば問わない。また、内部に収納部を作って真綿やダウンのような詰め物を入れてもよい。
・挿入片２は枕８の下に敷くようにしてもよい。
・湾曲部４は必ずしもなくてはいけないわけではない。湾曲部４の形状は凹状であれば上記形状に限定されない。
・その他、本発明の趣旨を逸脱しない態様で実施することは自由である。
【図面の簡単な説明】
【００１２】
【図１】本発明の実施例の保温用寝具であって（ａ）は開いた状態の斜視図、（ｂ）は折り畳んだ状態の斜視図（ｃ）は側面図。
【図２】同じ保温用寝具の平面図において使用者のどの部分を覆うかの説明をするための説明図。
【図３】同じ保温用寝具の使用状態であって挿入片を敷き布団に差し込んだ状態の説明図。
【図４】同じ保温用寝具の使用状態であって包囲片を使用者側に折り返した状態の説明図。
【図５】同じ保温用寝具の使用状態であって包囲片の張り出し部を首回りに寄せた状態の説明図。
【符号の説明】
【００１３】
１…保温用寝具、２…挿入片、３…包囲片、３ａ…頭部被覆部としての第１の頭部被覆部、３ｂ…頭部被覆部としての第２の頭部被覆部、３ｃ…張り出し部としての第１の張り出し部、３ｄ…張り出し部としての第２の張り出し部、５…突起物としての取っ手。
【要約】
【課題】寝返りを繰り返しててもずれず、また、外気が内部に侵入しにくい頭部及び首回りを保温するための保温用寝具を提供すること。
【解決手段】就寝する際に掛け布団の上部寄りから露出する人の頭部から首回りにかけての部分を覆い保温するための可撓性布状材料からなる保温用寝具１は敷き布団７の下側に挿入されて同敷き布団７に横臥する使用者の頭部側の重量によって押さえられる挿入片２と、同挿入片２の前端に一体的に接続され同挿入片２よりも幅広でかつ左右対称に構成された包囲片３とから構成されている。包囲片３は挿入片２側に屈曲されることで使用者の前頭部から頭頂部及び左右側頭部にかけて覆う第１及び第２の頭部被覆部３ａ，３ｂと使用者の首の周囲を包囲するための第１及び第２の頭部被覆部３ａ，３ｂの左右に張り出した第１及び第２の張り出し部３ｃ，３ｄとを備えている。
【選択図】図１【図１】
0004272689.tif 000002
【図２】
0004272689.tif 000003
【図３】
0004272689.tif 000004
【図４】
0004272689.tif 000005
【図５】
0004272689.tif 000006